(57)【要約】      （修正有）【課題】皮膚及び頭髪の双方に潤いを与えることが可能であり、かつ皮膚に対するスチームの噴射位置を適切に調整できるスチーム発生装置を提供する。【解決手段】スチーム発生装置１は、液体を収容する液体タンク２と、前記液体を加熱することによってスチームを生成する加熱機構と、前記液体タンクの少なくとも一部を覆うように配設され、生成される前記スチームを送出する送出口３ａを有するハウジング３と、前記送出口に接続される場合に、前記スチームを大気中へ放出するヘッドキャップと、前記送出口に接続される場合に、前記スチームを大気中へ噴射するノズルとを備え、前記ヘッドキャップ及び前記ノズルが、前記送出口に対して選択的に取り付け可能であり、前記ヘッドキャップが、人体の頭部へ向けて前記スチームを放出可能な構造であり、前記ノズルが、スライド操作により伸縮自在なスチーム経路を有する。【選択図】図１
0003216674.tif 000002
【実用新案登録請求の範囲】
【請求項１】
美容に用いられるスチーム発生装置であって、
液体を収容する液体タンクと、
前記液体タンク内の前記液体を加熱することによってスチームを生成する加熱機構と、
前記液体タンクの少なくとも一部を覆うように配設され、生成される前記スチームを送出する送出口を有するハウジングと、
前記送出口に接続される場合に、前記送出口から送出される前記スチームを大気中へ放出するヘッドキャップと、
前記送出口に接続される場合に、前記送出口から送出される前記スチームを大気中へ噴射するノズルと
を備え、
前記ヘッドキャップ及び前記ノズルが、前記送出口に対して選択的に取り付け可能であり、
前記ヘッドキャップが、人体の頭部を挿入可能な形状であり、かつ挿入される人体の頭部へ向けて前記スチームを放出可能な構造であり、
前記ノズルが、前記送出口に装着される接続部と、前記スチームを噴射するスチーム吹出口と、前記接続部及び前記スチーム吹出口間に設けられ、スライド操作により伸縮自在なスチーム経路とを有するスチーム発生装置。
【請求項２】
前記ノズルが、前記スチーム吹出口から噴射される前記スチームに香気を付加する香気付加機構をさらに有する請求項１に記載のスチーム発生装置。
【請求項３】
前記ヘッドキャップが、前記スチームの放出量を調整する放出量調整機構をさらに有する請求項１又は請求項２に記載のスチーム発生装置。
【請求項４】
前記ハウジングが、前記スチーム内にオゾンを生成するオゾン生成機構をさらに有する請求項１、請求項２又は請求項３に記載のスチーム発生装置。
【考案の詳細な説明】
【技術分野】
【０００１】
本考案は、スチーム発生装置に関する。
【背景技術】
【０００２】
美容を目的として、皮膚又は頭髪に潤いを与えるスチーム発生装置が知られている。
【０００３】
例えば、皮膚にスチームを当てる装置として、蒸発室に取り付けられたヒーターで水を加熱し、水の加熱により発生した蒸気に紫外線を照射することによりオゾンを発生させ、オゾンを含む蒸気をスチーム噴出口から噴出するスチーマユニットを備えるエステティック装置が提案されている（特許文献１）。
【０００４】
また例えば、頭髪にスチームを当てる装置として、蒸気発生室で発生させた蒸気をホースに送り出し、このホースの先端に取り付けられるスチームキャップに蒸気を流入させる蒸気発生装置が提案されている（特許文献２）。
【先行技術文献】
【特許文献】
【０００５】
【特許文献１】特開平２−２６８７６２号公報
【特許文献２】特開昭５９−１６７６０１号公報
【考案の概要】
【考案が解決しようとする課題】
【０００６】
特許文献１に記載されたエステティック装置は、１つの装置に多数の機能をまとめた装置であるため、大型の基台を必要とする。また、特許文献１のエステティック装置は、使用者が他者に施術を行うためのものであって、使用者自身に対する使用を想定したものではない。また、特許文献２に記載された蒸気発生装置は、柔軟なホースの先端にスチームキャップやフェイシャルマスクを取り付ける構成であるため、使用者がスチームキャップやフェイシャルマスクを装着する必要がある。また、特許文献２の蒸気発生装置は、これらの装着部位以外の適切な部位にスチームを当てることができない。
【０００７】
本考案は、上述のような事情に基づいてなされたものであり、皮膚及び頭髪の双方に潤いを与えることが可能であり、かつ皮膚に対するスチームの噴射位置を適切に調整できるスチーム発生装置を提供することを目的とする。
【課題を解決するための手段】
【０００８】
上記課題を解決するためになされた考案は、美容に用いられるスチーム発生装置であって、液体を収容する液体タンクと、前記液体タンク内の前記液体を加熱することによってスチームを生成する加熱機構と、前記液体タンクの少なくとも一部を覆うように配設され、生成される前記スチームを送出する送出口を有するハウジングと、前記送出口に接続される場合に、前記送出口から送出される前記スチームを大気中へ放出するヘッドキャップと、前記送出口に接続される場合に、前記送出口から送出される前記スチームを大気中へ噴射するノズルとを備え、前記ヘッドキャップ及び前記ノズルが、前記送出口に対して選択的に取り付け可能であり、前記ヘッドキャップが、人体の頭部を挿入可能な形状であり、かつ挿入される人体の頭部へ向けて前記スチームを放出可能な構造であり、前記ノズルが、前記送出口に装着される接続部と、前記スチームを噴射するスチーム吹出口と、前記接続部及び前記スチーム吹出口間に設けられ、スライド操作により伸縮自在なスチーム経路とを有する。
【０００９】
当該スチーム発生装置は、頭部へ向けてスチームを放出するヘッドキャップと顔等の皮膚へ向けてスチームを噴射するノズルとを備え、これらをスチームの送出口に対して選択的に取り付け可能であるので、皮膚及び頭髪の双方に潤いを与えることが可能である。またノズルが、スチームの送出口に装着される接続部とスチームを噴射するスチーム吹出口との間にスライド操作により伸縮自在なスチーム経路を有しているので、当該スチーム発生装置は、皮膚に対するスチームの噴射位置を適切に調整できる。
【００１０】
前記ノズルが、前記スチーム吹出口から噴射される前記スチームに香気を付加する香気付加機構をさらに有するとよい。これにより、当該スチーム発生装置は、例えばアロマスチーマーとして使用可能となる。
【００１１】
前記ヘッドキャップが、前記スチームの放出量を調整する放出量調整機構をさらに有するとよい。これにより、当該スチーム発生装置は、スチームの放出量を頭髪の質及び量に応じて適切に調整できる。
【００１２】
前記ハウジングが、前記スチーム内にオゾンを生成するオゾン生成機構をさらに有するとよい。スチームに含まれるオゾンは、殺菌作用及び浄化作用をもたらす。したがって、当該スチーム発生装置は、オゾンにより使用者の皮膚の清浄化を図ることができる。
【考案の効果】
【００１３】
本考案のスチーム発生装置は、皮膚及び頭髪の双方に潤いを与えることが可能であり、かつ皮膚に対するスチームの噴射位置を適切に調整できる。
【図面の簡単な説明】
【００１４】
【図１】本考案の一実施形態に係るスチーム発生装置の正面側を示す模式的斜視図である。
【図２】図１のスチーム発生装置の背面側を示す模式的斜視図である。
【図３】図１のスチーム発生装置が備えているヘッドキャップを示す模式的斜視図である。
【図４】図３のヘッドキャップに設けられる放出量調整機構を拡大して示す模式的平面図である。
【図５】図１のスチーム発生装置が備えているノズルを示す模式的斜視図である。
【図６】図５のノズルに設けられる香気付加機構の近傍を拡大して示す模式的斜視図である。
【図７】図３のヘッドキャップを接続した図１のスチーム発生装置の使用時の様子を示す模式的斜視図である。
【図８】図５のノズルを接続した図１のスチーム発生装置の使用時の様子を示す模式的斜視図である。
【考案を実施するための形態】
【００１５】
以下、本考案に係るスチーム発生装置の実施形態について図を参照しつつ詳説する。
【００１６】
［スチーム発生装置］
図１及び図２に示すスチーム発生装置１は、美容に用いられるスチーム発生装置であり、液体を収容する液体タンク２と、液体タンク２内の液体を加熱することによってスチームを生成する加熱機構と、液体タンク２の少なくとも一部を覆うように配設され、生成されるスチームを送出する送出口３ａを有するハウジング３とを備えている。スチーム発生装置１は、簡単に持ち運ぶことが可能な軽量かつ小型のスチーム発生装置であり、例えば家庭用のスチーム発生装置として構成される。
【００１７】
図１及び図２には図示されていないが、スチーム発生装置１は、図３から図４に示すヘッドキャップ４と、図５から図６に示すノズル５とをさらに備えている。ヘッドキャップ４及びノズル５は、送出口３ａに対して選択的に取り付け可能に構成されている。つまり、スチーム発生装置１は、送出口３ａに接続される場合に、送出口３ａから送出されるスチームを大気中へ放出するヘッドキャップ４と、送出口３ａに接続される場合に、送出口３ａから送出されるスチームを大気中へ噴射するノズル５とを備えている。
【００１８】
スチーム発生装置１は、ヘッドキャップ４及びノズル５のいずれか一方を送出口３ａに接続することによってスチームを頭髪又は皮膚へ向けて供給できる。つまり、スチーム発生装置１は、一つの装置で皮膚及び頭髪の双方に潤いを与えることが可能である。
【００１９】
＜液体タンク＞
液体タンク２は、液体を収容する略円筒形の容器である。液体タンク２は、軽量かつ透明なプラスチックにより形成されており、後述するハウジング３の給水口３ｂから液体を流入させるための給水経路と、ハウジング３の送出口３ａにスチームを送出するための送出経路とを有している（図示せず）。
【００２０】
液体タンク２に収容される液体としては、例えば水が用いられる。液体タンク２に収容される液体は、蒸発することによってスチームとなる。このため、液体タンク２内への残留物の発生を防止する観点から、液体タンク２に収容される液体は、精製水であると好ましい。
【００２１】
＜ハウジング＞
ハウジング３は、液体タンク２の少なくとも一部を覆うように配設されている。具体的には、ハウジング３は、液体タンク２の上部、下部及び背面側の一部を覆うように配設されている。またハウジング３は、背面側から正面側に向けて回転可能に接続される一対の開き戸を有しており、この開き戸の開放によって液体タンク２の着脱を可能としている。なお、一対の開き戸には、図１及び図２に示すように、液体タンク２を視認可能とする窓部がそれぞれ設けられているが、開き戸は窓部を有していなくてもよく、例えば開き戸の一部が透明な材料により形成されていてもよい。
【００２２】
ハウジング３は、液体タンク２の下部を覆う位置に加熱機構を内蔵している。加熱機構は、液体タンク２内の液体を加熱することによってスチームを生成する。加熱機構としては、特に限定されないが、例えば電熱器が用いられる。
【００２３】
またハウジング３は、液体タンク２で生成されるスチーム内にオゾンを生成するオゾン生成機構をさらに有している。具体的には、ハウジング３は、液体タンク２の上部を覆う位置にオゾン生成機構を内蔵しており、このオゾン生成機構により生成されるオゾンが液体タンク２から送出されるスチームに付加されるように構成されている。オゾン生成機構としては、特に限定されないが、例えばスチームに紫外線を照射することによりオゾンを生成する機構やスチーム内で放電することによりオゾンを生成する機構が用いられる。
【００２４】
さらにハウジング３は、液体タンク２内で生成されるスチームを送出する送出口３ａと、液体タンク２内に液体を流入させるための給水口３ｂと、スチーム発生装置１の動作を制御するためのスイッチ部３ｃとを有している。送出口３ａは、ヘッドキャップ４及びノズル５のいずれか一方を接続可能な形状に形成されている。給水口３ｂには、給水時に取り外し可能な給水栓が取り付けられている。また、スイッチ部３ｃは、加熱機構を動作又は停止するスチームスイッチと、オゾン生成機構を動作又は停止するオゾンスイッチとを有している。なお、ハウジング３の背面には、図２に示すように、電源コードが接続されている。
【００２５】
＜ヘッドキャップ＞
ヘッドキャップ４は、ハウジング３の送出口３ａに接続される場合に、送出口３ａから送出されるスチームを頭髪へ向けて供給するためのものである。ヘッドキャップ４は、図３に示すように、人体の頭部を挿入可能な形状であり、かつ挿入される人体の頭部へ向けてスチームを放出可能な構造のヘッドキャップ本体４０と、ハウジング３及びヘッドキャップ本体４０を接続し、ハウジング３の送出口３ａから送出されるスチームをヘッドキャップ本体４０へ流通させる接続支持具４１とを備えている。
【００２６】
ヘッドキャップ本体４０は、スチームの放出量を調整する放出量調整機構４０ａと、スチームをヘッドキャップ本体４０内へ流入させるスチーム流入口４０ｂと、接続支持具４１に接続されることによりヘッドキャップ本体４０を支持する一対の支持部４０ｃとを有している。また、図３には図示されていないが、ヘッドキャップ本体４０は、スチーム流入口４０ｂから流入するスチームを内側（頭部が挿入される側）に放出可能なスチーム放出口を有している。
【００２７】
放出量調整機構４０ａは、頭髪に当てるスチームの量を調整するための機構であり、ヘッドキャップ本体４０の外側かつ頂部に設けられる。放出量調整機構４０ａは、一部に開口を有し、ヘッドキャップ本体４０に対して回転可能に支持される円盤体である。ヘッドキャップ本体４０の外側かつ頂部にはスチーム排出孔Ｘが設けられており、このスチーム排出孔Ｘを覆うように放出量調整機構４０ａが配設されている。そして、放出量調整機構４０ａは、図４に示すように、ヘッドキャップ本体４０に対する回転位置を変更することにより、ヘッドキャップ本体４０に設けられたスチーム排出孔Ｘの開口率を調整する。つまり、放出量調整機構４０ａは、スチーム排出孔Ｘから排出されるスチームの量を調整することにより、ヘッドキャップ本体４０の内側にあるスチーム放出口からのスチームの放出量を調整する。
【００２８】
接続支持具４１は、ハウジング３の送出口３ａに接続され、送出口３ａから送出されるスチームを内部へ流入させる接続部４１ａと、ヘッドキャップ本体４０のスチーム流入口４０ｂに接続され、接続部４１ａから流入するスチームをスチーム流入口４０ｂへ送出するスチーム送出部４１ｂと、ヘッドキャップ本体４０に設けられる一対の支持部４０ｃのそれぞれに接続され、ヘッドキャップ本体４０を支持する一対の支持部４１ｃとを有している。
【００２９】
＜ノズル＞
ノズル５は、ハウジング３の送出口３ａに接続される場合に、送出口３ａから送出されるスチームを顔等の皮膚へ向けて供給するためのものである。ノズル５は、図５に示すように、送出口３ａに装着される接続部５ａと、スチームを噴射するスチーム吹出口５ｂと、接続部５ａ及びスチーム吹出口５ｂ間に設けられ、スライド操作により伸縮自在なスチーム経路５ｃとを有している。またノズル５は、スチーム吹出口５ｂから噴射されるスチームに香気を付加する香気付加機構５０をさらに有している。
【００３０】
接続部５ａは、ハウジング３の送出口３ａに接続され、送出口３ａから送出されるスチームをノズル５へ流入させるものである。スチーム吹出口５ｂは、ノズル５内へ流入したスチームを皮膚へ向けて噴射するものである。スチーム経路５ｃは、接続部５ａ及びスチーム吹出口５ｂ間でスチームを流通させるものであり、スライド操作により接続部５ａ及びスチーム吹出口５ｂ間の距離を変更可能とする。つまり、スチーム経路５ｃは、図５（Ａ）及び図５（Ｂ）に示すように、接続部５ａに対するスチーム吹出口５ｂの位置を変更し、かつこの位置にスチーム吹出口５ｂを保持することにより、皮膚に対するスチームの噴射位置を適切に調整可能とする。
【００３１】
香気付加機構５０は、スチーム吹出口５ｂから噴射されるスチームに香気を付加するためのものであり、例えばスチーム吹出口５ｂの背面側に設けられる。香気発生材Ｙとしては、例えばアロマオイルを染み込ませた脱脂綿が用いられる。香気付加機構５０は、ノズル５に対してスライド操作可能なカバー材５０ａと、香気発生材Ｙを保持可能であり、カバー材５０ａにより閉止される収容部５０ｂとを有している。なお、収容部５０ｂの底部は格子状に形成されており、スチーム及び香気は、収容部５０ｂ及びスチーム経路５ｃ間において流通可能となっている。
【００３２】
［スチーム発生装置の使用例］
頭髪に潤いを与える場合には、ヘッドキャップ４が用いられる。ヘッドキャップ４は、ハウジング３の送出口３ａに接続支持具４１の接続部４１ａを接続し、接続支持具４１のスチーム送出部４１ｂにヘッドキャップ本体４０のスチーム流入口４０ｂを接続し、接続支持具４１の支持部４１ｃにヘッドキャップ本体４０の支持部４０ｃを接続することにより使用される。使用者は、台の上等にスチーム発生装置１を置き、図７に示すように、ヘッドキャップ４の内側に頭部を挿入する。スチーム放出口からのスチームの放出量が多い場合には、使用者は、放出量調整機構４０ａの操作によりスチーム放出口からのスチームの放出量を適宜調整する。
【００３３】
顔等の皮膚に潤いを与える場合には、ノズル５が用いられる。ノズル５は、ハウジング３の送出口３ａに接続部５ａを接続し、スチーム経路５ｃのスライド操作によって接続部５ａ及びスチーム吹出口５ｂ間の距離を適切な距離とすることにより使用される。使用者は、図８に示すように、所望の位置にスチームが向かうようにスチーム吹出口５ｂの位置を調整する。また、スチーム吹出口５ｂから噴射されるスチームに香気を付加する場合には、使用者は、カバー材５０ａのスライド操作により収容部５０ｂを開放し、収容部５０ｂに香気発生材Ｙを配置し、カバー材５０ａのスライド操作により収容部５０ｂを閉止した後にノズル５を使用する。さらに、スチーム吹出口５ｂから噴射されるスチームにオゾンを付加する場合には、使用者は、スイッチ部３ｃのオゾンスイッチを操作することによりオゾン生成機構を動作させる。
【００３４】
（利点）
当該スチーム発生装置１は、頭部へ向けてスチームを放出するヘッドキャップ４と顔等の皮膚へ向けてスチームを噴射するノズル５とを備え、これらをスチームの送出口３ａに対して選択的に取り付け可能であるので、皮膚及び頭髪の双方に潤いを与えることが可能である。また、ノズル５が、スチームの送出口３ａに装着される接続部５ａとスチームを噴射するスチーム吹出口５ｂとの間にスライド操作により伸縮自在なスチーム経路５ｃを有しているので、当該スチーム発生装置１は、皮膚に対するスチームの噴射位置を適切に調整できる。
【００３５】
またノズル５が、スチーム吹出口５ｂから噴射されるスチームに香気を付加する香気付加機構５０を有しているので、当該スチーム発生装置１は、例えばアロマスチーマーとして用いることができる。
【００３６】
またヘッドキャップ４が、スチームの放出量を調整する放出量調整機構４０ａを有しているので、当該スチーム発生装置１は、スチームの放出量を頭髪の質及び量に応じて適切に調整できる。
【００３７】
またハウジング３が、スチーム内にオゾンを生成するオゾン生成機構を有しているので、当該スチーム発生装置１は、オゾンにより使用者の皮膚の清浄化を図ることができる。
【００３８】
当該スチーム発生装置１は、ハウジング３に対してヘッドキャップ４又はノズル５を自立させる構成であるので、使用者はヘッドキャップ４又はノズル５を自ら支持する必要がない。
【００３９】
［その他の実施形態］
本考案のスチーム発生装置１は、上記実施形態に限定されない。
【００４０】
上記実施形態では、ヘッドキャップ４がヘッドキャップ本体４０と接続支持具４１とを備えるものについて説明したが、ヘッドキャップ４は接続支持具４１を備えていなくてもよい。つまり、ヘッドキャップ本体４０と接続支持具４１とが一体的に構成されることにより、ヘッドキャップ４がハウジング３の送出口３ａに直接接続されるものであってもよい。
【産業上の利用可能性】
【００４１】
本考案のスチーム発生装置１は、皮膚及び頭髪の双方に潤いを与えることが可能であり、かつ皮膚に対するスチームの噴射位置を適切に調整できる。
【符号の説明】
【００４２】
１  スチーム発生装置
２  液体タンク
３  ハウジング
３ａ  送出口
３ｂ  給水口
３ｃ  スイッチ部
４  ヘッドキャップ
４０  ヘッドキャップ本体
４０ａ  放出量調整機構
４０ｂ  スチーム流入口
４０ｃ  支持部
４１  接続支持具
４１ａ  接続部
４１ｂ  スチーム送出部
４１ｃ  支持部
５  ノズル
５ａ  接続部
５ｂ  スチーム吹出口
５ｃ  スチーム経路
５０  香気付加機構
５０ａ  カバー材
５０ｂ  収容部
Ｘ  スチーム排出孔
Ｙ  香気発生材
【図１】
0003216674.tif 000003
【図２】
0003216674.tif 000004
【図３】
0003216674.tif 000005
【図４】
0003216674.tif 000006
【図５】
0003216674.tif 000007
【図６】
0003216674.tif 000008
【図７】
0003216674.tif 000009
【図８】
0003216674.tif 000010